(57)【要約】【課題】冗長な複数の経路が形成されることを抑えるアクセスポイント制御装置を提供する。【解決手段】アクセスポイントをマルチホップにより中継する無線ＬＡＮネットワークにおいて、アクセスポイントの接続を制御するアクセスポイント制御装置であって、アクセスポイントが受信した他のアクセスポイントに関する受信電力情報を収集し、ゲートウェイアクセスポイントを除くすべてのアクセスポイントにおける受信電力情報を使用してゲートウェイアクセスポイントから各アクセスポイントまでの中継ホップ数を決定するホップ数決定手段と、同一ホップ数のアクセスポイントから接続候補を決定し、接続候補が少ないアクセスポイントから順に接続するアクセスポイントを決定する接続決定手段とを備え、接続決定手段は、接続候補が複数の場合に、すでに接続候補に接続されているアクセスポイントとその配下のアクセスポイントの数が最も少ない接続候補に接続する。【選択図】図１
2016054444.tif 000002
【特許請求の範囲】
【請求項１】
アクセスポイントをマルチホップにより中継する無線ＬＡＮネットワークにおいて、前記アクセスポイントの接続を制御するアクセスポイント制御装置であって、
前記アクセスポイントが受信した他のアクセスポイントに関する受信電力情報を収集し、ゲートウェイアクセスポイントを除くすべての前記アクセスポイントにおける前記受信電力情報を使用して前記ゲートウェイアクセスポイントから各アクセスポイントまでの中継ホップ数を決定するホップ数決定手段と、
同一ホップ数の前記アクセスポイントから接続候補を決定し、接続候補が少ないアクセスポイントから順に接続する前記アクセスポイントを決定する接続決定手段とを備え、
前記接続決定手段は、
前記接続候補が複数の場合に、すでに接続候補に接続されている前記アクセスポイントとその配下の前記アクセスポイントの数が最も少ない接続候補に接続することを特徴とするアクセスポイント制御装置。
【請求項２】
アクセスポイントをマルチホップにより中継する無線ＬＡＮネットワークにおいて、前記アクセスポイントの接続を制御するアクセスポイント制御装置であって、
前記アクセスポイントが受信した他のアクセスポイントに関する受信電力情報を収集し、ゲートウェイアクセスポイントを除くすべての前記アクセスポイントにおける前記受信電力情報を使用して前記ゲートウェイアクセスポイントから各アクセスポイントまでの中継ホップ数を決定するホップ数決定手段と、
同一ホップ数の前記アクセスポイントから接続候補を決定し、接続候補が少ないアクセスポイントから順に接続する前記アクセスポイントを決定する接続決定手段とを備え、
前記接続決定手段は、
前記接続候補が複数の場合に、１台の接続候補とすでにその接続候補に接続されている前記アクセスポイントとその配下の前記アクセスポイントの合計トラフィック量が最も少ない接続候補に接続することを特徴とするアクセスポイント制御装置。
【請求項３】
アクセスポイントをマルチホップにより中継する無線ＬＡＮネットワークにおいて、前記アクセスポイントの接続を制御するアクセスポイント制御装置が行うアクセスポイント制御方法であって、
前記アクセスポイントが受信した他のアクセスポイントに関する受信電力情報を収集し、ゲートウェイアクセスポイントを除くすべての前記アクセスポイントにおける前記受信電力情報を使用して前記ゲートウェイアクセスポイントから各アクセスポイントまでの中継ホップ数を決定するホップ数決定ステップと、
同一ホップ数の前記アクセスポイントから接続候補を決定し、接続候補が少ないアクセスポイントから順に接続する前記アクセスポイントを決定する接続決定ステップとを有し、
前記接続決定ステップでは、
前記接続候補が複数の場合に、すでに接続候補に接続されている前記アクセスポイントとその配下の前記アクセスポイントの数が最も少ない接続候補に接続することを特徴とするアクセスポイント制御方法。
【請求項４】
アクセスポイントをマルチホップにより中継する無線ＬＡＮネットワークにおいて、前記アクセスポイントの接続を制御するアクセスポイント制御装置が行うアクセスポイント制御方法であって、
前記アクセスポイントが受信した他のアクセスポイントに関する受信電力情報を収集し、ゲートウェイアクセスポイントを除くすべての前記アクセスポイントにおける前記受信電力情報を使用して前記ゲートウェイアクセスポイントから各アクセスポイントまでの中継ホップ数を決定するホップ数決定ステップと、
同一ホップ数の前記アクセスポイントから接続候補を決定し、接続候補が少ないアクセスポイントから順に接続する前記アクセスポイントを決定する接続決定ステップとを有し、
前記接続決定ステップでは、
前記接続候補が複数の場合に、１台の接続候補とすでにその接続候補に接続されている前記アクセスポイントとその配下の前記アクセスポイントの合計トラフィック量が最も少ない接続候補に接続することを特徴とするアクセスポイント制御方法。
【請求項５】
コンピュータを、請求項１または２に記載のアクセスポイント制御装置として機能させるためのアクセスポイント制御プログラム。
【発明の詳細な説明】
【技術分野】
【０００１】
本発明は、無線ＬＡＮのサービスエリアを拡大するため、無線ＬＡＮのアクセスポイント間を複数のマルチホップ伝送により中継するアクセスポイントを制御するアクセスポイント制御装置、アクセスポイント制御方法及びアクセスポイント制御プログラムに関する。
【背景技術】
【０００２】
従来から、無線ＬＡＮのアクセスポイント（ＡＰ）間をメッシュ状に中継してサービスエリアを拡大する技術がある（例えば、非特許文献１参照）。図５は、サービスエリアを拡大するためにネットワークの設定をサーバにおいて集中的に行うシステムの構成を示すブロック図である。このシステムは、無線ＬＡＮネットワークを構成するすべてのアクセスポイント（ＡＰ）３１、３２に対して、制御用の送受信装置２１、２２をそれぞれ接続する。そして、送受信装置２１、２２と通信することによりすべてのアクセスポイント３１、３２を制御可能なサーバ１０により構成される。無線ＬＡＮネットワークと他ネットワークのゲートウェイをゲートウェイアクセスポイント（ＧＷ−ＡＰ）とし、他のアクセスポイントが検知できるようにすべてのアクセスポイントからビーコン信号を送信するように設定する。
【０００３】
次に、図６を参照して、図５に示すサーバ１０の構成を説明する。図６は、図５に示すサーバ１０の構成を示すブロック図である。受信装置１は、ゲートウェイアクセスポイント（ＧＷ−ＡＰ）以外のアクセスポイントから受信したビーコン信号の電力を示すＡＰ周辺受信電力情報を取得し、ＡＰ周辺受信電力情報記憶装置２に記憶する。接続決定装置３は、ゲートウェイアクセスポイント（ＧＷ−ＡＰ）以外のすべてのアクセスポイントが、ＡＰ周辺受信電力情報から受信電力が所定の閾値Ｌ以上となるすべてのアクセスポイントと接続されるようにする命令を送信装置４を介して送信する。  
【０００４】
図７は、従来技術により各アクセスポイントを接続する例を示す図である。閾値Ｌを−４０ｄＢｍとすると、ゲートウェイアクセスポイント（ＧＷ−ＡＰ１、ＧＷ−ＡＰ２）以外のすべてのアクセスポイント（ＡＰ１、ＡＰ２、ＡＰ３、ＡＰ４）において、ＡＰ周辺受信電力情報から受信電力が−４０ｄＢｍ以上となるすべてのアクセスポイントに接続する。すなわち、アクセスポイント（ＡＰ１）において、受信電力が−４０ｄＢｍ以上であるのは、ゲートウェイアクセスポイント（ＧＷ−ＡＰ１）とアクセスポイント（ＡＰ３）であるため、これらと接続する。また、アクセスポイント（ＡＰ２）では、同様に、受信電力が−４０ｄＢｍ以上であるのは、２つのゲートウェイアクセスポイント（ＧＷ−ＡＰ１、ＧＷ−ＡＰ２）と２つのアクセスポイント（ＡＰ３、ＡＰ４）であるため、これらと接続する。アクセスポイント（ＡＰ３、ＡＰ４）についても同様に、受信電力が−４０ｄＢｍ以上のアクセスポイントと接続を行う。
【先行技術文献】
【非特許文献】
【０００５】
【非特許文献１】“無線ＬＡＮメッシュネットワークの技術動向”、電子情報通信学会誌、Ｖｏｌ．９２、Ｎｏ．１０、ｐｐ．８４１−８４６、２００９年１０月
【発明の概要】
【発明が解決しようとする課題】
【０００６】
しかしながら、従来のアクセスポイントは周辺アクセスポイントから得られた受信電力値より中継伝送路を決定していたため、複数の経路が形成されてしまう。このため、冗長な通信データが発生して中継トラフィックが増大したり、中継ホップ数による遅延が増大してしまうという問題がある。また、各アクセスポイントと通信を行う端末との間に生じるトラフィックに偏りがある場合、中継トラフィックが集中したアクセスポイントでは通信データが破棄されたり、遅延が増大するという問題を有している。
【０００７】
本発明は、このような事情に鑑みてなされたもので、冗長な複数の経路が形成されることを抑えることができるアクセスポイント制御装置、アクセスポイント制御方法及びアクセスポイント制御プログラムを提供することを目的とする。
【課題を解決するための手段】
【０００８】
本発明は、アクセスポイントをマルチホップにより中継する無線ＬＡＮネットワークにおいて、前記アクセスポイントの接続を制御するアクセスポイント制御装置であって、前記アクセスポイントが受信した他のアクセスポイントに関する受信電力情報を収集し、ゲートウェイアクセスポイントを除くすべての前記アクセスポイントにおける前記受信電力情報を使用して前記ゲートウェイアクセスポイントから各アクセスポイントまでの中継ホップ数を決定するホップ数決定手段と、同一ホップ数の前記アクセスポイントから接続候補を決定し、接続候補が少ないアクセスポイントから順に接続する前記アクセスポイントを決定する接続決定手段とを備え、前記接続決定手段は、前記接続候補が複数の場合に、すでに接続候補に接続されている前記アクセスポイントとその配下の前記アクセスポイントの数が最も少ない接続候補に接続することを特徴とする。
【０００９】
本発明は、アクセスポイントをマルチホップにより中継する無線ＬＡＮネットワークにおいて、前記アクセスポイントの接続を制御するアクセスポイント制御装置であって、前記アクセスポイントが受信した他のアクセスポイントに関する受信電力情報を収集し、ゲートウェイアクセスポイントを除くすべての前記アクセスポイントにおける前記受信電力情報を使用して前記ゲートウェイアクセスポイントから各アクセスポイントまでの中継ホップ数を決定するホップ数決定手段と、同一ホップ数の前記アクセスポイントから接続候補を決定し、接続候補が少ないアクセスポイントから順に接続する前記アクセスポイントを決定する接続決定手段とを備え、前記接続決定手段は、前記接続候補が複数の場合に、１台の接続候補とすでにその接続候補に接続されている前記アクセスポイントとその配下の前記アクセスポイントの合計トラフィック量が最も少ない接続候補に接続することを特徴とする。
【００１０】
本発明は、アクセスポイントをマルチホップにより中継する無線ＬＡＮネットワークにおいて、前記アクセスポイントの接続を制御するアクセスポイント制御装置が行うアクセスポイント制御方法であって、前記アクセスポイントが受信した他のアクセスポイントに関する受信電力情報を収集し、ゲートウェイアクセスポイントを除くすべての前記アクセスポイントにおける前記受信電力情報を使用して前記ゲートウェイアクセスポイントから各アクセスポイントまでの中継ホップ数を決定するホップ数決定ステップと、同一ホップ数の前記アクセスポイントから接続候補を決定し、接続候補が少ないアクセスポイントから順に接続する前記アクセスポイントを決定する接続決定ステップとを有し、前記接続決定ステップでは、前記接続候補が複数の場合に、すでに接続候補に接続されている前記アクセスポイントとその配下の前記アクセスポイントの数が最も少ない接続候補に接続することを特徴とする。
【００１１】
本発明は、アクセスポイントをマルチホップにより中継する無線ＬＡＮネットワークにおいて、前記アクセスポイントの接続を制御するアクセスポイント制御装置が行うアクセスポイント制御方法であって、前記アクセスポイントが受信した他のアクセスポイントに関する受信電力情報を収集し、ゲートウェイアクセスポイントを除くすべての前記アクセスポイントにおける前記受信電力情報を使用して前記ゲートウェイアクセスポイントから各アクセスポイントまでの中継ホップ数を決定するホップ数決定ステップと、同一ホップ数の前記アクセスポイントから接続候補を決定し、接続候補が少ないアクセスポイントから順に接続する前記アクセスポイントを決定する接続決定ステップとを有し、前記接続決定ステップでは、前記接続候補が複数の場合に、１台の接続候補とすでにその接続候補に接続されている前記アクセスポイントとその配下の前記アクセスポイントの合計トラフィック量が最も少ない接続候補に接続することを特徴とする。
【００１２】
本発明は、コンピュータを、前記アクセスポイント制御装置として機能させるためのアクセスポイント制御プログラムである。
【発明の効果】
【００１３】
本発明によれば、冗長な複数の経路を形成することなく中継伝送路を決定することができ、中継トラフィックの増大を防ぐことが可能になるという効果が得られる。
【図面の簡単な説明】
【００１４】
【図１】本発明の第１実施形態におけるサーバ１０の構成を示すブロック図である。
【図２】各アクセスポイントを接続する動作例を示す図である。
【図３】本発明の第２実施形態におけるサーバ１０の構成を示すブロック図である。
【図４】各アクセスポイントを接続する動作例を示す図である。
【図５】サービスエリアを拡大するためにネットワークの設定をサーバにおいて集中的に行うシステムの構成を示すブロック図である。
【図６】図５に示すサーバ１０の構成を示すブロック図である。
【図７】従来技術により各アクセスポイントを接続する例を示す図である。
【発明を実施するための形態】
【００１５】
＜第１実施形態＞
以下、図面を参照して、本発明の第１実施形態によるアクセスポイント制御装置を説明する。第１実施形態におけるシステム構成は、図５に示す構成と同様であるため、ここでは詳細な説明を省略する。無線ＬＡＮネットワークを構成するすべてのアクセスポイント３１、３２に制御用の送受信装置２１、２２をそれぞれ接続し、その送受信装置２１、２２と通信することによりすべてのアクセスポイント３１、３２を制御可能なサーバ１０により構成される。ただし、第１実施形態においては、図１に示すようにサーバ１０の構成が異なる。
【００１６】
なお、サーバ１０の構成を図１を参照して説明するに際して、サーバ１０が普通に有する公知の機能・構成については、本発明の説明に直接関わりがない限り、その説明及び構成の図示を省略する。ただし、図１のサーバ１０の構成は以下で説明するとおり相違する。
【００１７】
第１実施形態におけるサーバ１０は、トラフィック情報を必要としない方法を用いてアクセスポイントの接続を制御する。ここでは、無線ＬＡＮネットワークと他ネットワークのゲートウェイをゲートウェイアクセスポイント（ＧＷ−ＡＰ）、ゲートウェイアクセスポイント（ＧＷ−ＡＰ）からの中継許容ホップ数をｍとし、他のアクセスポイントが検知できるようにすべてのアクセスポイント３１、３２からビーコン信号を送信するように設定する。
【００１８】
図１は、サーバ１０の構成を示すブロック図である。この図において、図６に示す従来の装置と同一の部分には同一の符号を付し、その説明を簡単に行う。この図に示すサーバ１０が従来のサーバ１０と異なる点は、ホップ数決定装置５が設けられている点である。
【００１９】
受信装置１は、ゲートウェイアクセスポイント（ＧＷ−ＡＰ）以外のアクセスポイントからＡＰ周辺受信電力情報を取得し、ＡＰ周辺受信電力情報記憶装置２に記憶する。ホップ数決定装置５は、ＡＰ周辺受信電力情報から受信電力が閾値Ｌ１以上となるゲートウェイアクセスポイント（ＧＷ−ＡＰ）を１台以上持つアクセスポイントで、ゲートウェイアクセスポイント（ＧＷ−ＡＰ）以外のアクセスポイントをＨ１−ＡＰに決定する。
【００２０】
また、ＡＰ周辺受信電力情報から受信電力が閾値Ｌ２以上となるアクセスポイント（Ｈ１−ＡＰ）を１台以上持つアクセスポイントで、ゲートウェイアクセスポイント（ＧＷ−ＡＰ）およびアクセスポイント（Ｈ１−ＡＰ）以外のアクセスポイントをＨ２−ＡＰに決定する。
【００２１】
そして、ＡＰ周辺受信電力情報から受信電力が閾値Ｌｍ以上となるアクセスポイント（Ｈ（ｍ−１）−ＡＰ）を１台以上持つアクセスポイントで、ゲートウェイアクセスポイント（ＧＷ−ＡＰ）およびアクセスポイント（Ｈｎ−ＡＰ（ｎ＝１，…，ｍ−１））以外のアクセスポイントをＨｍ−ＡＰに決定する。
【００２２】
接続決定装置３は、各アクセスポイント（Ｈｍ−ＡＰ）のＡＰ周辺受信電力情報とホップ数から受信電力が閾値Ｌｍ以上となるアクセスポイント（Ｈ（ｍ−１）−ＡＰ）を接続候補とし、接続候補が少ないアクセスポイント（Ｈｍ−ＡＰ）から順に接続候補と接続する命令を送信装置４を介して送信する。接続候補が複数の場合は、すでに接続されているアクセスポイント（Ｈｍ−ＡＰ）の数が最も少ない接続候補に接続する命令を送信装置４より送信する。
【００２３】
次に、接続決定装置３は、各アクセスポイント（Ｈ（ｍ−１）−ＡＰ）のＡＰ周辺受信電力情報とホップ数から受信電力が閾値Ｌ（ｍ−１）以上となるアクセスポイント（Ｈ（ｍ−２）−ＡＰ）を接続候補とし、接続候補が少ないＨ（ｍ−１）−ＡＰから順に接続候補と接続する命令を送信装置４を介して送信する。接続候補が複数の場合は、すでに接続されているアクセスポイント（Ｈ（ｍ−１）−ＡＰ）およびそのアクセスポイント（Ｈ（ｍ−１）−ＡＰ）配下のアクセスポイント（Ｈｍ−ＡＰ）の数が最も少ない接続候補に接続する命令を送信装置４より送信する。
【００２４】
次に、接続決定装置３は、各アクセスポイント（Ｈ１−ＡＰ）のＡＰ周辺受信電力情報とホップ数から受信電力が閾値Ｌ１以上となるゲートウェイ（ＧＷ−ＡＰ）を接続候補とし、接続候補が少ないアクセスポイント（Ｈ１−ＡＰ）から順に接続候補と接続する命令を送信装置４を介して送信する。接続候補が複数の場合は、すでに接続されているアクセスポイント（Ｈ１−ＡＰ）およびそのアクセスポイント（Ｈ１−ＡＰ）配下のアクセスポイント（Ｈｎ−ＡＰ（ｎ＝２，３，…，ｍ））の数が最も少ない接続候補に接続する命令を送信装置４より送信する。
【００２５】
この動作を図２を参照して説明する。図２は、各アクセスポイントを接続する動作例を示す図である。ここでは、中継許容ホップ数を２、閾値Ｌ１を−４０ｄＢｍ、閾値Ｌ２を−４０ｄＢｍとすると、Ｈ１−ＡＰとなるアクセスポイントはアクセスポイント（ＡＰ１）とアクセスポイント（ＡＰ２）となる。また、Ｈ２−ＡＰとなるアクセスポイントはアクセスポイント（ＡＰ３）とアクセスポイント（ＡＰ４）となる。
【００２６】
初めに、アクセスポイント（Ｈ２−ＡＰ）中、接続候補となるアクセスポイント（Ｈ１−ＡＰ）が少ないアクセスポイント（ＡＰ４）がアクセスポイント（ＡＰ２）と接続する（図２（１））。次に、アクセスポイント（ＡＰ３）は接続されているアクセスポイント（Ｈ２−ＡＰ）が少ないアクセスポイント（ＡＰ１）に接続する（図２（２））。
【００２７】
次に、アクセスポイント（Ｈ１−ＡＰ）中、接続候補となるＧＷ−ＡＰが少ないアクセスポイント（ＡＰ１）がゲートウェイアクセスポイント（ＧＷ−ＡＰ１）と接続する（図２（３））。次にアクセスポイント（ＡＰ２）は接続されているアクセスポイント（Ｈ１−ＡＰ）が少ないゲートウェイアクセスポイント（ＧＷ−ＡＰ２）に接続する（図２（４））。
【００２８】
このように、サーバ１０によりゲートウェイアクセスポイント（ＧＷ−ＡＰ）から各アクセスポイントまでの中継ホップ数を決定し、中継ホップ数の大きいアクセスポイントから１台のアクセスポイントのみに接続するため、冗長な複数の経路が形成されることがなく中継トラフィックの増大を抑えることができる。また、中継ホップ数も限定されているため、遅延が増大することがない。
【００２９】
特に、トラフィック情報を必要としない方法は、無線ＬＡＮネットワーク構築直後などトラフィック情報がない場合でも有効な方法である。このため、トラフィック情報を必要としない方法で無線ＬＡＮネットワークの運用を行い、トラフィック情報を蓄積してからトラフィック情報を利用する方法に切り替えることができる。
【００３０】
＜第２実施形態＞
次に、本発明の第２実施形態によるアクセスポイント制御装置を説明する。第２実施形態におけるシステム構成は、図５に示す構成と同様であるため、ここでは詳細な説明を省略する。無線ＬＡＮネットワークを構成するすべてのアクセスポイント３１、３２に制御用の送受信装置２１、２２をそれぞれ接続し、その送受信装置２１、２２と通信することによりすべてのアクセスポイント３１、３２を制御可能なサーバ１０により構成される。ただし、第２実施形態においては、図３に示すようにサーバ１０の構成が異なる。
【００３１】
第２実施形態におけるサーバ１０は、トラフィック情報を利用してアクセスポイントの接続を制御する。ここでは、無線ＬＡＮネットワークと他ネットワークのゲートウェイをゲートウェイアクセスポイント（ＧＷ−ＡＰ）、ゲートウェイアクセスポイント（ＧＷ−ＡＰ）からの中継許容ホップ数をｍとし、他のアクセスポイントが検知できるようにすべてのアクセスポイント３１、３２からビーコン信号を送信するように設定する。
【００３２】
図３は、第２実施形態におけるサーバ１０の構成を示すブロック図である。この図において、図１に示す装置と同一の部分には同一の符号を付し、その説明を簡単に行う。この図に示すサーバ１０が図１に示すサーバ１０と異なる点は、ＡＰトラフィック情報記憶装置６がさらに設けられている点である。
【００３３】
受信装置１は、ゲートウェイアクセスポイント（ＧＷ−ＡＰ）以外のアクセスポイントからＡＰ周辺受信電力情報を取得し、ＡＰ周辺受信電力情報記憶装置２に記憶する。また、受信装置１は、すべてのアクセスポイントから、そのアクセスポイントと端末間の合計トラフィック量であるＡＰトラフィック情報を取得し、ＡＰトラフィック情報記憶装置６に記憶する。
【００３４】
ホップ数決定装置は、ＡＰ周辺受信電力情報から受信電力が閾値Ｌ１以上となるゲートウェイアクセスポイント（ＧＷ−ＡＰ）を１台以上持つアクセスポイントで、ゲートウェイアクセスポイント（ＧＷ−ＡＰ）以外のアクセスポイントをＨ１−ＡＰに決定する。
【００３５】
また、ＡＰ周辺受信電力情報から受信電力が閾値Ｌ２以上となるアクセスポイント（Ｈ１−ＡＰ）を１台以上持つアクセスポイントで、ゲートウェイアクセスポイント（ＧＷ−ＡＰ）およびアクセスポイント（Ｈ１−ＡＰ）以外のアクセスポイントをＨ２−ＡＰに決定する。
【００３６】
そして、ＡＰ周辺受信電力情報から受信電力が閾値Ｌｍ以上となるアクセスポイント（Ｈ（ｍ−１）−ＡＰ）を１台以上持つアクセスポイントで、ゲートウェイアクセスポイント（ＧＷ−ＡＰ）およびアクセスポイント（Ｈｎ−ＡＰ（ｎ＝１，…，ｍ−１））以外のアクセスポイントをＨｍ−ＡＰに決定する。
【００３７】
接続決定装置３は、各アクセスポイント（Ｈｍ−ＡＰ）のＡＰ周辺受信電力情報とホップ数から受信電力が閾値Ｌｍ以上となるアクセスポイント（Ｈ（ｍ−１）−ＡＰ）を接続候補とし、接続候補が少ないアクセスポイント（Ｈｍ−ＡＰ）から順に接続候補と接続する命令を送信装置４を介して送信する。接続候補が複数の場合は、ＡＰトラフィック情報から、１台の接続候補とすでにその接続候補と接続されているアクセスポイント（Ｈｍ−ＡＰ）の合計トラフィック量が最も少ない接続候補に接続する命令を送信装置４より送信する。
【００３８】
次に、接続決定装置３は、各アクセスポイント（Ｈ（ｍ−１）−ＡＰ）のＡＰ周辺受信電力情報とホップ数から受信電力が閾値Ｌ（ｍ−１）以上となるアクセスポイント（Ｈ（ｍ−２）−ＡＰ）を接続候補とし、接続候補が少ないアクセスポイント（Ｈ（ｍ−１）−ＡＰ）から順に接続候補と接続する命令を送信装置４より送信する。接続候補が複数の場合は、ＡＰトラフィック情報から、１台の接続候補とすでにその接続候補と接続されているアクセスポイント（Ｈ（ｍ−１）−ＡＰ）およびそのアクセスポイント（Ｈ（ｍ−１）−ＡＰ）配下のアクセスポイント（Ｈｍ−ＡＰ）の合計トラフィック量が最も少ない接続候補に接続する命令を送信装置４より送信する。
【００３９】
次に、接続決定装置３は、各アクセスポイント（Ｈ１−ＡＰ）のＡＰ周辺受信電力情報とホップ数から受信電力が閾値Ｌ１以上となるゲートウェイアクセスポイント（ＧＷ−ＡＰ）を接続候補とし、接続候補が少ないアクセスポイント（Ｈ１−ＡＰ）から順に接続候補と接続する命令を送信装置４より送信する。接続候補が複数の場合は、ＡＰトラフィック情報から、１台の接続候補とすでにその接続候補と接続されているアクセスポイント（Ｈ１−ＡＰ）およびそのアクセスポイント（Ｈ１−ＡＰ）配下のアクセスポイント（Ｈｎ−ＡＰ（ｎ＝２，３，…，ｍ））の合計トラフィック量が最も少ない接続候補に接続する命令を送信装置４より送信する。
【００４０】
この動作を図４を参照して説明する。図４は、各アクセスポイントを接続する動作例を示す図である。ここでは、中継許容ホップ数を２、閾値Ｌ１を−４０ｄＢｍ、閾値Ｌ２を−４０ｄＢｍとすると、Ｈ１−ＡＰはアクセスポイント（ＡＰ１）とアクセスポイント（ＡＰ２）となる。また、Ｈ２−ＡＰはアクセスポイント（ＡＰ３）とアクセスポイント（ＡＰ４）となる。
【００４１】
初めに、アクセスポイント（Ｈ２−ＡＰ）中、接続候補となるアクセスポイント（Ｈ１−ＡＰ）が少ないアクセスポイント（ＡＰ４）がアクセスポイント（ＡＰ２）と接続する（図４（１））。次に、アクセスポイント（ＡＰ３）は合計トラフィック量（ＡＰ１：２０、ＡＰ２：１０＋３）が最も少ないアクセスポイント（ＡＰ２）に接続する（図４（２））。
【００４２】
次に、アクセスポイント（Ｈ１−ＡＰ）中、接続候補となるゲートウェイアクセスポイント（ＧＷ−ＡＰ）が少ないアクセスポイント（ＡＰ１）がゲートウェイアクセスポイント（ＧＷ−ＡＰ１）と接続する（図４（３））。次に、アクセスポイント（ＡＰ２）は合計トラフィック量（ＧＷ−ＡＰ１：１０＋２０、ＧＷ−ＡＰ２：１５）が最も少ないゲートウェイアクセスポイント（ＧＷ−ＡＰ２）に接続する（図４（４））。
【００４３】
このように、サーバ１０によりゲートウェイアクセスポイント（ＧＷ−ＡＰ）から各アクセスポイントまでの中継ホップ数を決定し、中継ホップ数の大きいアクセスポイントから１台のアクセスポイントのみに接続するため、冗長な複数の経路が形成されることがなく中継トラフィックの増大を抑えることができる。また、中継ホップ数も限定されているため、遅延が増大することがない。さらに、トラフィック情報を利用することにより、中継トラフィックが分散されるため、通信データが破棄されたり、遅延が増大する頻度が減少する。
【００４４】
以上説明したように、無線ＬＡＮメッシュネットワークを構成する複数のアクセスポイント（ＡＰ）を制御するサーバにおいて、各アクセスポイントから他のアクセスポイントに関する受信電力情報を受信し、この受信電力情報に基づいてゲートウェイアクセスポイントから各アクセスポイントまでの中継ホップ数を決定し、同一の中継ホップ数のアクセスポイントについて、接続候補となるアクセスポイントが少ないアクセスポイントから順に接続先のアクセスポイントを決定し、各アクセスポイントに接続先のアクセスポイントと接続させる命令を送信するようにした。そして、接続決定は、１つのアクセスポイントに対し、複数の接続候補のアクセスポイントが存在する場合には、この複数の接続候補のアクセスポイントのうち、既に決定している接続先のアクセスポイントとその配下のアクセスポイントの合計数が最も少ないアクセスポイントを接続先として決定する。
【００４５】
この構成によれば、冗長な複数の経路を形成することなく中継伝送路を決定することができ、中継トラフィックの増大を防ぐことが可能となる。
【００４６】
前述した実施形態におけるサーバ１０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００４７】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００４８】
冗長な複数の経路を形成することなく中継伝送路を決定することができ、中継トラフィックの増大を防ぐことが不可欠な用途に適用できる。
【符号の説明】
【００４９】
１０・・・サーバ、１・・・受信装置、２・・・ＡＰ周辺受信電力情報記憶装置、３・・・接続決定装置、４・・・送信装置、５・・・ホップ数決定装置、６・・・ＡＰトラフィック情報記憶装置、２１、２２・・・送受信装置、３１、３２・・・アクセスポイント
【図１】
2016054444.tif 000003
【図２】
2016054444.tif 000004
【図３】
2016054444.tif 000005
【図４】
2016054444.tif 000006
【図５】
2016054444.tif 000007
【図６】
2016054444.tif 000008
【図７】
2016054444.tif 000009